(57)【要約】　　　（修正有）【課題】剛性のない棒状のリングや弾性を有するリングを用いても回転体が脱落するのを確実に防止できるとともに、回転体部分が目立ち、かつ女性の小さな指に取付けても美観の向上を図ることができる指輪を得る。【解決手段】支持部材３の開口部に回転可能に取付けられた貫通軸孔１２が形成された少なくとも２面以上の回転体１３と、回転体の係止片１１と対向する面に形成された軸受部材収納凹部１５と、この軸受部材収納凹部に回動不能に収納された軸孔１６および係止片の弾性係止部１０と係止する少なくとも２個以上の係止凹部１７を有する軸受部材１８と、両端部を支持部材に固定あるいは抜け脱不能に取付けられた該回転体を回転可能に支持する軸１９とで指輪を構成している。【選択図】　図９
2004135893.tif 000002
【特許請求の範囲】
【請求項１】
一部を切り欠いて開口部を形成したリング状の支持部材と、この支持部材の開口部が形成された両端部の、該開口部のほぼ中央部に位置する部位に同一軸心となるように貫通形成された一対の軸孔と、前記支持部材の開口部が形成された一方の端部の開口部側で、前記軸孔の周辺部を含むように形成された係止片収納凹部と、この係止片収納凹部に回動不能に収納された前記軸孔と一致する部位に形成された接続軸孔および、該接続軸孔の外周部に前記開口部方向に突出するように形成された弾性係止部を有する係止片と、前記支持部材の開口部に回転可能に取付けられる、ほぼ中央部に前記一対の軸孔と一致する貫通軸孔が形成された少なくとも２面以上の回転体と、この回転体の少なくとも２面以上に設けられた宝石や模様等の装飾体と、前記回転体の前記係止片と対向する前記貫通軸孔を含む面に形成された軸受部材収納凹部と、この軸受部材収納凹部に回動不能に収納された、前記貫通軸孔と一致する部位に形成された軸孔および、該軸孔の外周部に前記係止片の弾性係止部と係止するように形成された少なくとも２個以上の係止凹部を有する軸受部材と、前記支持部材の一対の軸孔、前記回転体の貫通軸孔、前記軸受部材の軸孔および前記係止片の接続軸孔を貫通し、両端部を前記支持部材に固定あるいは抜け脱不能に取付けられた、該回転体を回転可能に支持する軸とからなることを特徴とする指輪。
【請求項２】
一部を切り欠いて開口部を形成したリング状の支持部材と、この支持部材の開口部が形成された両端部の、該開口部のほぼ中央部に位置する部位に同一軸心となるように貫通形成された一対の軸孔と、前記支持部材の開口部が形成された一方の端部の開口部側で、前記軸孔の周辺部を含むように形成された係止片収納凹部と、この係止片収納凹部に回動不能に収納された前記軸孔と一致する部位に形成された接続軸孔および、該接続軸孔の外周部に前記開口部方向に突出するように形成された弾性係止部を有する係止片と、前記支持部材の開口部に回転可能に取付けられる、ほぼ中央部に前記一対の軸孔と一致する貫通軸孔が形成された少なくとも２面以上の回転体と、この回転体の少なくとも２面以上に設けられた宝石や模様等の装飾体と、前記回転体の前記係止片と対向する前記貫通軸孔の外周部に形成した、前記係止片の弾性係止部と係止する少なくとも２個以上の係止凹部と、前記支持部材の一対の軸孔、前記回転体の貫通軸孔および前記係止片の接続軸孔を貫通し、両端部を前記支持部材に固定あるいは抜け脱不能に取付けられた、該回転体を回転可能に支持する軸とからなることを特徴とする指輪。
【発明の詳細な説明】
【０００１】
【発明の属する技術分野】
本発明は指輪に関する。
【０００２】
【従来の技術】
従来、一部を切り欠いて開口部を形成したリング状の支持部材と、この支持部材の両端部の開口部側のほぼ中央部に凹状の軸孔を形成し、該軸孔に両端部のほぼ中央部に外方へ突出する軸が形成された複数個の宝石等を取付けた回転体とで構成する指輪（特開平１０−１５１００８号）が、本願出願人によって開示されている。
【０００３】
【発明が解決しようとする課題】
従来の本出願人によって開示された指輪は、リング状の支持部材の剛性によって、開口部に設けた回転体の脱落防止を図るため、支持部材が厚肉で幅広の大きなものしか使用できず、回転体が支持部材の大きさによって目立たなくなるという欠点があるとともに、女性等の小さな指に取付けた場合、大きな支持部材によって美観が損なわれるという欠点があった。
【０００４】
本発明は以上のような従来の欠点に鑑み、剛性のない棒状のリングや弾性を有するリングを用いても回転体が脱落するのを確実に防止できるとともに、回転体部分が目立ち、かつ女性の小さな指に取付けても美観の向上を図ることができる指輪を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は一部を切り欠いて開口部を形成したリング状の支持部材と、この支持部材の開口部が形成された両端部の、該開口部のほぼ中央部に位置する部位に同一軸心となるように貫通形成された一対の軸孔と、前記支持部材の開口部が形成された一方の端部の開口部側で、前記軸孔の周辺部を含むように形成された係止片収納凹部と、この係止片収納凹部に回動不能に収納された前記軸孔と一致する部位に形成された接続軸孔および、該接続軸孔の外周部に前記開口部方向に突出するように形成された弾性係止部を有する係止片と、前記支持部材の開口部に回転可能に取付けられる、ほぼ中央部に前記一対の軸孔と一致する貫通軸孔が形成された少なくとも２面以上の回転体と、この回転体の少なくとも２面以上に設けられた宝石や模様等の装飾体と、前記回転体の前記係止片と対向する前記貫通軸孔を含む面に形成された軸受部材収納凹部と、この軸受部材収納凹部に回動不能に収納された、前記貫通軸孔と一致する部位に形成された軸孔および、該軸孔の外周部に前記係止片の弾性係止部と係止するように形成された少なくとも２個以上の係止凹部を有する軸受部材と、前記支持部材の一対の軸孔、前記回転体の貫通軸孔、前記軸受部材の軸孔および前記係止片の接続軸孔を貫通し、両端部を前記支持部材に固定あるいは抜け脱不能に取付けられた該回転体を回転可能に支持する軸とで指輪を構成している。
【０００７】
【発明の実施の形態】
以下、図面に示す実施の形態により、本発明を詳細に説明する。
【０００８】
図１ないし図１１に示す本発明の第１の実施の形態において、１は本発明の指輪で、この指輪１は一部を切り欠いて開口部２を形成したリング状の支持部材３と、この支持部材３の開口部２が形成された両端部の支持部４、４の、該開口部２のほぼ中央部に位置する部位に同一軸心となるように貫通形成された一対の軸孔５、５と、前記支持部材３の開口部２が形成された一方の支持部４の開口部２側で、前記軸孔５の周辺部を含むように形成された長方形状の係止片収納凹部６と、この係止片収納凹部６に回動不能に収納された前記軸孔５と一致する部位に形成された接続軸孔７および、該接続軸孔７の外周部に逆Ｕ字状に切欠部８を形成し、上部寄りの部位に突起９を形成するとともに、前記開口部２方向に曲げ加工した弾性係止部１０を有する係止片１１と、前記支持部材３の開口部２に回転可能に取付けられる、ほぼ中央部に前記一対の軸孔５、５と一致する貫通軸孔１２が形成された少なくとも２面以上、本発明の実施の形態では４面の長方体形状の回転体１３と、この回転体１３の各面に設けられた、宝石や模様等の装飾体１４、１４Ａ、１４Ｂ、１４Ｃと、前記回転体１３の前記係止片１１と対向する前記貫通軸孔１２を含む面に形成された軸受部材収納凹部１５と、この軸受部材収納凹部１５に回動不能に収納された、前記貫通軸孔１２と一致する部位に形成された軸孔１６および、該軸孔１６の外周部に前記係止片１１の弾性係止部１０と係止するように形成された４個の係止凹部１７、１７、１７、１７を有する軸受部材１８と、前記支持部材３の一対の軸孔５、５、前記回転体１３の貫通軸孔１２、前記軸受部材１８の軸孔１６および前記係止片１１の接続軸孔７を貫通し、両端部を前記支持部材３の支持部４、４にロー付け等によって固定された、該回転体１３を回転可能に支持する軸１９とで構成されている。
【０００９】
前記支持部材３は図５に示すように、丸棒あるいは断面形状がほぼ半円弧形状の棒状部材をリング状に形成した支持部材本体２０と、この支持部材本体２０の両端部に上方へ突出するように一体形成された軸孔５、５が形成された一対の支持部４、４とで構成されている。
【００１０】
上記構成の指輪１は支持部材３を小さくして回転体１３部分を目立つように加工しても、支持部材３の両端部の支持部４、４に両端部が固定された軸１９に宝石や模様等の装飾体１４、１４Ａ、１４Ｂ、１４Ｃが設けられた回転体１３が回転可能に取付けられているので、回転体１３が支持部材３から脱落するのを確実に防止することができる。
【００１１】
また、回転体１３を回転させることにより、使用時に応じた好みの宝石や模様等の装飾体１４、１４Ａ、１４Ｂ、１４Ｃを表に出して使用することができる。この時、回転体１３は軸受部材１８の４個の係止凹部１７、１７、１７、１７のいずれかが、係止片１１の弾性係止部１０に係止され、不用意に回転するのを確実に阻止できる。
【００１２】
【発明の異なる実施の形態】
次に、図１２ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図１２ないし図１４に示す本発明の第２の実施の形態において、前記本発明の第１の実施の形態と主に異なる点は、正三角柱の角部を平坦面２１、２１、２１となるようにカットした、ほぼ三角柱状の回転体１３Ａを用いるとともに、軸１９Ａの両端部に抜け脱不能の半円形状の頭部２２、２２ができるように一端部をカシメることができる軸１９Ａを用いた点で、このように構成した指輪１Ａにしても、前記本発明の第１の実施の形態と同様な作用効果が得られる。
【００１４】
図１５ないし図１７に示す本発明の第３の実施の形態において、前記本発明の第１の実施の形態と主に異なる点は、上下面に宝石を用いた装飾体１４、１４Ａを取付けることができるとともに、係止片１１と対向する面に２個の係止凹部１７、１７を形成した回転体１３Ｂを用いた点で、このように形成した回転体１３Ｂを用いて構成した指輪１Ｂにしても、前記本発明の第１の実施の形態と同様な作用効果が得られる。
【００１５】
なお、前記本発明の実施の形態では指輪に付いて説明したが、本発明はこれに限らず、一部を切り欠いて開口部を形成したリング状の支持部材を用いるペンダント、ブローチ、イヤリング等にも同様に使用することができる。
【００１６】
【発明の効果】
以上の説明から明らかなように、本発明にあっては次に列挙する効果が得られる。
【００１７】
（１）一部を切り欠いて開口部を形成したリング状の支持部材と、この支持部材の開口部が形成された両端部の、該開口部のほぼ中央部に位置する部位に同一軸心となるように貫通形成された一対の軸孔と、前記支持部材の開口部が形成された一方の端部の開口部側で、前記軸孔の周辺部を含むように形成された係止片収納凹部と、この係止片収納凹部に回動不能に収納された前記軸孔と一致する部位に形成された接続軸孔および、該接続軸孔の外周部に前記開口部方向に突出するように形成された弾性係止部を有する係止片と、前記支持部材の開口部に回転可能に取付けられる、ほぼ中央部に前記一対の軸孔と一致する貫通軸孔が形成された少なくとも２面以上の回転体と、この回転体の少なくとも２面以上に設けられた宝石や模様等の装飾体と、前記回転体の前記係止片と対向する前記貫通軸孔を含む面に形成された軸受部材収納凹部と、この軸受部材収納凹部に回動不能に収納された、前記貫通軸孔と一致する部位に形成された軸孔および、該軸孔の外周部に前記係止片の弾性係止部と係止するように形成された少なくとも２個以上の係止凹部を有する軸受部材と、前記支持部材の一対の軸孔、前記回転体の貫通軸孔、前記軸受部材の軸孔および前記係止片の接続軸孔を貫通し、両端部を前記支持部材に固定あるいは抜け脱不能に取付けられた、該回転体を回転可能に支持する軸とで構成されているので、支持部材を小寸法の棒状部材で形成しても、回転体が支持部材より脱落するのを確実に阻止できる。
したがって、回転体部分を目立つ形状に加工することができるとともに、女性等の小さな指に取付けても美観の向上を図ることができる。
【００１８】
（２）前記（１）によって、回転体が支持部材から脱落しないので、回転体に高価な宝石を安心して取付けることができる。
したがって、低価格から高価格の製品を提供することができる。
【００１９】
（３）前記（１）によって、支持部材に従来では回転体が脱落するような弾性を有する材料を用いても、回転体が脱落しないので、自由に支持部材の材質を選択することができ、設計、デザインの自由度を増大させることができる。
【００２０】
（４）請求項２も前記（１）〜（３）と同様な効果が得られる。
【図面の簡単な説明】
【図１】本発明の第１の実施の形態の平面図。
【図２】本発明の第１の実施の形態の正面図。
【図３】本発明の第１の実施の形態の底面図。
【図４】本発明の第１の実施の形態の側面図。
【図５】本発明の第１の実施の形態の支持部材の説明図。
【図６】本発明の第１の実施の形態の係止片の説明図。
【図７】本発明の第１の実施の形態の回転体の説明図。
【図８】本発明の第１の実施の形態の軸受部材の説明図。
【図９】図１の９−９線に沿う拡大断面図。
【図１０】図１の１０−１０線に沿う拡大断面図。
【図１１】回転体を回転させた状態の平面図。
【図１２】本発明の第２の実施の形態の平面図。
【図１３】本発明の第２の実施の形態の正面図。
【図１４】図１２の１４−１４線に沿う拡大断面図。
【図１５】本発明の第３の実施の形態の平面図。
【図１６】本発明の第３の実施の形態の正面図。
【図１７】図１５の１７−１７線に沿う拡大断面図。
【符号の説明】
１、１Ａ、１Ｂ：指輪、　２：開口部、
３：支持部材、　　　　　４：支持部、
５：軸孔、　　　　　　　６：係止片収納凹部、
７：接続軸孔、　　　　　８：切欠部、
９：突起、　　　　　　　１０：弾性係止片、
１１：係止片、　　　　　１２：貫通軸孔、
１３、１３Ａ：回転体、
１４、１４Ａ、１４Ｂ、１４Ｃ：装飾体、
１５：軸受部材収納凹部、１６：軸孔、
１７：係止凹部、　　　　１８：軸受部材、
１９、１９Ａ：軸、　　　２０：支持部材本体、
２１：平坦面、　　　　　２２：頭部。
【図１】
2004135893.tif 000003
【図２】
2004135893.tif 000004
【図３】
2004135893.tif 000005
【図４】
2004135893.tif 000006
【図５】
2004135893.tif 000007
【図６】
2004135893.tif 000008
【図７】
2004135893.tif 000009
【図８】
2004135893.tif 000010
【図９】
2004135893.tif 000011
【図１０】
2004135893.tif 000012
【図１１】
2004135893.tif 000013
【図１２】
2004135893.tif 000014
【図１３】
2004135893.tif 000015
【図１４】
2004135893.tif 000016
【図１５】
2004135893.tif 000017
【図１６】
2004135893.tif 000018
【図１７】
2004135893.tif 000019